(57)【特許請求の範囲】
【請求項１】
液体を格納するヘッドを備え、
上記ヘッドは、液滴を吐出するノズル及び当該ノズルから液滴を吐出するために当該ノズルに連通するインク貯留室に振動を与える振動素子を備え、
上記ヘッドのノズルが設けられた面を拭き取ることで清掃する拭き取り部と、
上記ヘッドの位置を制御するヘッド位置制御手段と、
上記ヘッドに対する液体の供給圧を上げることで上記ノズルから液滴を吐出させることによる上記ノズルの清掃である第一の清掃を制御する第一の清掃制御手段と、
上記拭き取り部による上記面の清掃を制御する拭き取り部制御手段と、
上記ヘッドに対する液体の供給圧を制御する供給圧制御手段と、を備え、
上記ヘッド位置制御手段は、上記ヘッドが被記録媒体に液滴を吐出して描画を行なっている途中において、予め定められたときに上記第一の清掃を行なうための場所に上記ヘッドを移動させ、
上記第一の清掃制御手段は、上記第一の清掃を行なうための場所に上記ヘッドが移動したら上記ヘッドに上記第一の清掃を行なわせ、
上記拭き取り部制御手段は、上記第一の清掃が終了した後に、上記拭き取り部に上記面の清掃を行なわせ、
上記ヘッド位置制御手段は、上記拭き取り部による上記面の清掃が終了した後に、上記被記録媒体上に上記ヘッドを移動させて、上記描画を再開させ、
上記供給圧制御手段は、上記第一の清掃制御手段によって上記第一の清掃を行なうときに、上記ヘッドに対する液体の供給圧を上げるものであることを特徴とする液滴吐出装置。
【請求項２】
上記第一の清掃制御手段による清掃の終了後、上記拭き取り部制御手段による清掃が始まるまでに、上記ヘッド位置制御手段は上記ヘッドを移動させないことを特徴とする請求項１に記載の液滴吐出装置。
【請求項３】
上記供給圧制御手段は、上記拭き取り部制御手段によって上記拭き取り部に清掃を行なわせるときに、上記ヘッドに対する液体の供給圧を大気圧より下げることを特徴とする請求項１又は２に記載の液滴吐出装置。
【請求項４】
上記振動素子によって上記インク貯留室に振動を与えることで上記ノズルから液滴を吐出させることによる上記ノズルの清掃である第二の清掃を制御する第二の清掃制御手段をさらに備え、
上記第二の清掃制御手段は、上記拭き取り部による上記面の清掃後に、上記振動素子に上記第二の清掃を行なわせ、
上記ヘッド位置制御手段は、上記第二の清掃が終了した後に、上記被記録媒体上に上記ヘッドを移動させて、上記描画を再開させることを特徴とする請求項１〜３のいずれか１項に記載の液滴吐出装置。
【請求項５】
上記拭き取り部制御手段による清掃の終了後、上記第二の清掃制御手段による清掃が始まるまでに、上記ヘッド位置制御手段は上記ヘッドを移動させないことを特徴とする請求項４に記載の液滴吐出装置。
【請求項６】
上記ヘッドを複数備え、
上記ヘッド位置制御手段による上記ヘッドを上記第一の清掃を行なうための場所に移動させるときが、複数の上記ヘッドのそれぞれに定められていることを特徴とする請求項１〜５のいずれか１項に記載の液滴吐出装置。
【請求項７】
上記ヘッド位置制御手段は、上記ヘッドが上記被記録媒体上を予め定められた回数走査した後に、上記ヘッドを上記第一の清掃を行なうための場所に移動させることを特徴とする請求項１〜６のいずれか１項に記載の液滴吐出装置。
【請求項８】
液体を格納するヘッドを備え、
上記ヘッドは、液滴を吐出するノズル及び当該ノズルから液滴を吐出するために当該ノズルに連通するインク貯留室に振動を与える振動素子を備え、上記ヘッドのノズルが設けられた面を清掃する拭き取り部と、を備える液滴吐出装置のヘッド及びノズルの清掃方法であって、
上記ヘッドが被記録媒体に液滴を吐出して描画を行なっている途中において、予め定められたときに、上記ヘッドに対する液体の供給圧を上げることで上記ノズルから液滴を吐出させることによる上記ノズルの清掃である第一の清掃を行なうための場所に上記ヘッドを移動させるヘッド移動工程と、
上記第一の清掃を行なうための場所に上記ヘッドが移動したら上記ヘッドに上記第一の清掃を行なわせる第一の清掃工程と、
上記第一の清掃工程が終了した後に、上記拭き取り部に上記面の清掃を行なわせる拭き取り部清掃工程と、
上記拭き取り部清掃工程が終了した後に、上記被記録媒体上に上記ヘッドを移動させて、上記描画を再開させる描画再開工程を含むことを特徴とする方法。
【請求項９】
上記拭き取り部清掃工程の後に、上記振動素子によって上記インク貯留室に振動を与えることで上記ノズルから液滴を吐出させることによる上記ノズルの清掃である第二の清掃を行なう第二の清掃工程をさらに含み、
上記描画再開工程は、上記第二の清掃工程が終了した後に、上記被記録媒体上に上記ヘッドを移動させて、上記描画を再開させる工程であることを特徴とする請求項８に記載の方法。
【発明の詳細な説明】
【技術分野】
【０００１】
本発明は例えばインク等の液滴によって図等を描画する液滴吐出装置及びノズル及びヘッドの清掃方法に関する。
【背景技術】
【０００２】
特許文献１には、ヘッドのフェイスを清掃するブレードがオリフィスの上を通過するのに連動してオリフィスよりインク液滴を吐出させることが記載されている。
【先行技術文献】
【特許文献】
【０００３】
【特許文献１】特開平２−９５８６２号公報（１９９０年４月６日公開）
【発明の概要】
【発明が解決しようとする課題】
【０００４】
インクジェット印刷機では、作図中に吐出するインクがミスト状になり、ヘッドに付着することでヘッドが汚れる。このため、ワイパー等を使ってヘッドに付着したインクを除去するワイピングと呼ばれる工程を行なうことが多い。
【０００５】
例えばラテックスインク等、インクの種類によってはミストによるヘッドの汚染が激しいものがあり、作図中に頻繁にワイピングを行なうことが望ましい場合がある。しかし、このようなインクを用いたヘッドに、作図後にワイピングを行なうと付着して高粘度になったインクをヘッドのノズルに押し込むことになるという問題がある。
【０００６】
なお、上述のような従来技術では、インクのパージとワイピングを両立させることは困難であるという問題がある。
【０００７】
本発明はこのような問題に鑑みてなされたものであり、作図中に円滑にノズルの清掃及びヘッドに付着した液滴の除去を行なうことを目的とする。
【課題を解決するための手段】
【０００８】
本発明に係る液滴吐出装置は、液体を格納するヘッドを備え、上記ヘッドは、液滴を吐出するノズル及び当該ノズルから液滴を吐出するために当該ヘッドのノズルに連通するインク貯留室に振動を与える振動素子を備え、上記ヘッドのノズルが設けられた面を清掃する拭き取り部と、上記ヘッドの位置を制御するヘッド位置制御手段と、上記ヘッドに対する液体の供給圧を上げることで上記ノズルから液滴を吐出させることによる上記ノズルの清掃である第一の清掃を制御する第一の清掃制御手段と、上記拭き取り部による上記面の清掃を制御する拭き取り部制御手段と、上記ヘッドに対する液体の供給圧を制御する供給圧制御手段と、を備え、上記ヘッド位置制御手段は、上記ヘッドが被記録媒体に液滴を吐出して描画を行なっている途中において、予め定められたときに上記第一の清掃を行なうための場所に上記ヘッドを移動させ、上記第一の清掃制御手段は、上記第一の清掃を行なうための場所に上記ヘッドが移動したら上記ヘッドに上記第一の清掃を行なわせ、上記拭き取り部制御手段は、上記第一の清掃が終了した後に、上記拭き取り部に上記面の清掃を行なわせ、上記ヘッド位置制御手段は、上記拭き取り部による上記面の清掃が終了した後に、上記被記録媒体上に上記ヘッドを移動させて、上記描画を再開させ、上記供給圧制御手段は、上記第一の清掃制御手段によって上記第一の清掃を行なうときに、上記ヘッドに対する液体の供給圧を上げるものであることを特徴としている。
【０００９】
また、本発明に係る方法は、液体を格納するヘッドを備え、上記ヘッドは、液滴を吐出するノズル及び当該ノズルから液滴を吐出するために当該ヘッドのノズルに連通するインク貯留室に振動を与える振動素子を備え、上記ヘッドのノズルが設けられた面を清掃する拭き取り部と、を備える液滴吐出装置のヘッド及びノズルの清掃方法であって、上記ヘッドが被記録媒体に液滴を吐出して描画を行なっている途中において、予め定められたときに、上記ヘッドに対する液体の供給圧を上げることで上記ノズルから液滴を吐出させることによる上記ノズルの清掃である第一の清掃を行なうための場所に上記ヘッドを移動させるヘッド移動工程と、上記第一の清掃を行なうための場所に上記ヘッドが移動したら上記ヘッドに上記第一の清掃を行なわせる第一の清掃工程と、上記第一の清掃工程が終了した後に、上記拭き取り部に上記面の清掃を行なわせる拭き取り部清掃工程と、上記拭き取り部清掃工程が終了した後に、上記被記録媒体上に上記ヘッドを移動させて、上記描画を再開させる描画再開工程を含むことを特徴としている。
【００１０】
上記の構成によれば、作図中において第一の清掃後に拭き取り部による清掃を行なうことで、ヘッドに付着して粘度の上昇した液滴をノズルに押し込むことなく、付着した液滴の粘度が上昇する前に拭き取り部による清掃を行なうことができる。また、作図の途中でノズルを第一の清掃により清掃した上で、ヘッドに付着した液滴を拭き取り部で清掃できる。よって、作図中に円滑にノズルの清掃及びヘッドに付着した液滴の除去を行なうことができる。
【００１１】
なお、第一の清掃はヘッドへのインク供給圧を上昇させることにより行なう。ヘッド内のインクを吸引することによりノズルの清掃を行なう方法もあるが、この吸引する方法に比べて第一の清掃の方が高速にノズルの清掃を行なうことができる点で有利である。
【００１２】
本発明に係る液滴吐出装置では、上記第一の清掃制御手段による清掃の終了後、上記拭き取り部制御手段による清掃が始まるまでに、上記ヘッド位置制御手段は上記ヘッドを移動させないことがより好ましい。
【００１３】
上記の構成によれば、ノズルの第一の清掃とヘッドの拭き取り部による清掃とを同じ場所で行なうことで、第一の清掃後に速やかに拭き取り部による清掃を行なうことができる。これにより、例えば、液滴を乾燥させるための強力なヒータを用いて周辺環境が高温になり、液滴の粘度が上昇しやすく、液滴の固着が生じやすい場合であっても、粘度の上昇及び固着の前に拭き取り部によるヘッドの清掃を行なうことができる。よって、拭き取り部によるヘッドの清掃の効率を高めることができる。また、第一の清掃を行なうための場所から拭き取り部による清掃を行なうための場所に移動する際に液滴が落下して周辺を汚染することを防ぐことができる。
【００１４】
本発明に係る液滴吐出装置では、上記供給圧制御手段は、上記拭き取り部制御手段によって上記拭き取り部に清掃を行なわせるときに、上記ヘッドに対する液体の供給圧を大気圧より下げることがより好ましい。
【００１５】
拭き取り部による清掃を行なうときにヘッドに対する液体の供給圧を大気圧より下げておくことにより、ノズルに液体を引きこむ力を与えつつ拭き取り部による清掃をすることができる。ノズルに液体を引きこむ力を与えないで拭き取り部による清掃を行なうと、ヘッドが複数の種類の色の液体を格納したものである場合に、或るノズルから漏れ出した液体が別のノズルの中に押し込まれることによってノズル内のインクが混色する虞がある。しかし、ヘッドに対する液体の供給圧を大気圧より下げることにより、ノズルにインクを引きこむ力を与えノズルからの漏れ出しを抑制した状態でワイピングすることができるため、混色を防ぐことができる。
【００１６】
また、後述のように第二の清掃を行なう場合、第二の清掃はヘッドに対する液体の供給圧を大気圧より下げておく必要がある。しかし、ヘッドに対する液体の供給圧を大気圧より下げておくことにより、速やかに第二の清掃を行なうことができ、ひいては、より短時間で印刷を再開できる。
【００１７】
本発明に係る液滴吐出装置では、上記振動素子によって上記ヘッドのノズルに連通するインク貯留室に振動を与えることで上記ノズルから液滴を吐出させることによる上記ノズルの清掃である第二の清掃を制御する第二の清掃制御手段をさらに備え、上記第二の清掃制御手段は、上記拭き取り部による上記面の清掃後に、上記振動素子に上記第二の清掃を行なわせ、上記ヘッド位置制御手段は、上記第二の清掃が終了した後に、上記被記録媒体上に上記ヘッドを移動させて、上記描画を再開させることがより好ましい。
【００１８】
また、本発明に係る方法では、上記拭き取り部清掃工程の後に、上記振動素子によって上記ヘッドのノズルに連通するインク貯留室に振動を与えることで上記ノズルから液滴を吐出させることによる上記ノズルの清掃である第二の清掃を行なう第二の清掃工程をさらに含み、上記描画再開工程は、上記第二の清掃工程が終了した後に、上記被記録媒体上に上記ヘッドを移動させて、上記描画を再開させる工程であることがより好ましい。
【００１９】
ヘッド内で複数の色の液滴を吐出する場合、拭き取り部による清掃によって異なる色の液滴がノズルに押し込まれて混色する虞がある。第二の清掃を行なうことにより、ノズル内に残留する混色したインクを排出することができる。
【００２０】
本発明に係る液滴吐出装置では、上記拭き取り部制御手段による清掃の終了後、上記第二の清掃制御手段による清掃が始まるまでに、上記ヘッド位置制御手段は上記ヘッドを移動させないことがより好ましい。
【００２１】
拭き取り部による清掃の後に、第二の清掃を行なう場所に移動するための時間のロスを低減することができる。
【００２２】
本発明に係る液滴吐出装置では、上記ヘッドを複数備え、上記ヘッド位置制御手段による上記ヘッドを上記第一の清掃を行なうための場所に移動させるとき（タイミング）が、複数の上記ヘッドのそれぞれに定められていることがより好ましい。
【００２３】
ヘッドのいずれかが、第一の清掃を行なうための場所に移動させるタイミングとなったときに、対応するヘッドを第一の清掃を行なう場所に配置して、第一の清掃を行ない、引き続き、拭き取り部による清掃、必要であれば第二の清掃を行なう。このように、清掃が必要なヘッドのみに適宜清掃を行なうことによって時間のロスを低減できる。また、第一の清掃、拭き取り部による清掃、第二の清掃の場所をヘッド一個分だけ用意すればよいため、ヘッドのメンテナンス機構の構成を簡略化及び省スペース化できる。
【００２４】
本発明に係る液滴吐出装置では、上記ヘッド位置制御手段は、上記ヘッドが上記被記録媒体上を予め定められた回数走査した後に、上記ヘッドを上記第一の清掃を行なうための場所に移動させることがより好ましい。
【００２５】
ヘッドが所定回数走査した後に、第一の清掃、拭き取り部による清掃、必要であれば第二の清掃を行なうように制御することで、より安定して印刷の品質を維持することができる。
【発明の効果】
【００２６】
本発明によれば、作図中に円滑にノズルの清掃及びヘッドに付着した液滴の除去を行なうことができるという効果を奏する。
【図面の簡単な説明】
【００２７】
【図１】本発明の一実施形態である液滴吐出装置１の構成を模式的に示す図である。
【図２】本発明の一実施形態である液滴吐出装置１が備える制御部５０の構成を模式的に示す図である。
【図３】本発明の一実施形態である液滴吐出装置１の動作の一例を示すフロー図である。
【図４】本発明の一実施形態である液滴吐出装置１におけるヘッドのノズル付近のインク圧力の経時変化を示す図である。
【発明を実施するための形態】
【００２８】
以下、本発明に係る液滴吐出装置の一実施形態について、図１〜図３を用いて詳細に説明する。
【００２９】
〔液滴吐出装置１の構成〕
まず、本発明に係る液滴吐出装置の一実施形態である液滴吐出装置１の構成について図１及び図２を用いて説明する。図１は液滴吐出装置１の構成を模式的に示す図であり、図２は液滴吐出装置１が備える制御部５０の構成を模式的に示す図である。
【００３０】
図１に示すように液滴吐出装置１はヘッド１０、クリーニング機構２０、フラッシング用ステーション３０、ガイド機構４０を備えている。また、液滴吐出装置１はメディア（被記録媒体）１００に対して図等を描画するためのものである。
【００３１】
ヘッド１０はインク（液体）を格納するものであり、インクをメディア１００に吐出するためのものである。
【００３２】
ヘッド１０のメディア１００に対向する面（フェイス）上にはノズル１１が複数設けられている。また、図２に示すように、ヘッド１０の内部にはノズル１１に連通するインク貯留室（図示せず）を振動させるための振動素子１２が備えられている。なお、説明の簡単のため図示していないが、インク貯留室は、ヘッド１０の中にあり、インクの色毎に隔てられた空間であり、当該色を吐出するノズル１１に連通している。振動素子１２は吐出するインクの色に応じてこの各インク貯留室に振動を与える。
【００３３】
作図中においては、ヘッド１０は矢印Ａ方向に往復運動してメディア１００上を走査しながら、作図する図形の情報に応じて振動素子１２が振動して、ノズル１１からインクの液滴がメディア１００上に吐出される。
【００３４】
クリーニング機構２０はヘッド１０のフェイス上をクリーニングするためのものである。クリーニング機構２０はワイパー（拭き取り部）２１を備えている。ワイパー２１がフェイス上に付着した付着物（インク）を拭き取ることによりフェイスの清掃（ワイピング）が行なわれる。
【００３５】
クリーニング機構２０にはインク回収容器２２が設けられている。本実施形態では、インクのパージ（第一の清掃）をクリーニング機構２０上で行なうが、このパージによって吐出されたインクはインク回収容器２２に回収される。
【００３６】
本実施形態のようにパージとワイピングを同じ場所で行なうことによって、パージ用の場所からワイピング用の場所にヘッドを移動させるための時間のロスを防ぐことができる。また、液滴吐出装置１はインク回収容器２２を備えることによって、パージによって吐出されたインクが他の場所を汚す問題を解消することができる。
【００３７】
ここで「パージ」、つまり本発明における「第一の清掃」とは、ヘッドの振動素子を使わずに、ヘッドに液滴を供給する際の供給圧を上げることでノズルから液滴を吐出して、ノズルを清掃することをいう。供給圧は例えば大気圧以上に上げることで、パージが好適に行なわれる。
【００３８】
なお、パージを行なうときにワイパー２１及びワイパーを支えたり駆動させたりする部材（図示せず）が、ノズルの直下に位置しない構成が望ましい。
【００３９】
フラッシング用ステーション３０はフラッシング（第二の清掃）を行なうための場所である。ヘッド１０はフラッシング用ステーション３０の上まで移動した後にフラッシングを行ない、ノズルの清掃が行なわれる。
【００４０】
ここで「フラッシング」、つまり本発明における「第二の清掃」とは、振動素子によりヘッドのノズルに連通するインク貯留室に振動を与えることによってノズルから液滴を吐出して、ノズル内の混色インクなどを排出することで、ノズルを清掃することをいう。
【００４１】
ガイド機構４０はヘッド１０の移動方向を規定するための部材である。ガイド機構４０があることにより、ヘッド１０は、メディア１００上に図等を描画する間、メディア１００上を矢印Ａ方向に走査する。また、パージ、フラッシング等を行なうときはガイド機構４０に沿ってヘッド１０はクリーニング機構２０及びフラッシング用ステーション３０上に移動する。
【００４２】
次に図２を用いて液滴吐出装置１が備える制御部５０の構成について説明する。
【００４３】
制御部５０は、ヘッド位置制御部（ヘッド位置制御手段）５１、パージ制御部（第一の清掃制御手段）５２、フラッシング制御部（第二の清掃制御手段）５３、ワイパー制御部（拭き取り部制御手段）５４、供給圧制御部（供給圧制御手段）５５を備える。
【００４４】
ヘッド位置制御部５１はヘッド１０の位置を制御するものである。例えば、メディア１００に描画するときには、予め入力された図形の情報に基づいてヘッド１０をメディア１００上で走査させる。また、ヘッド位置制御部５１は、パージ又はワイピングを行なうときにはヘッド１０をクリーニング機構２０上に移動させ、フラッシングを行なうときにはヘッド１０をフラッシング用ステーション３０上に移動させる。例えば、パージをするときには、予め定められた図形の描画を行なっている途中において、予め定められたときに、クリーニング機構２０上にヘッド１０を移動させる。ヘッド１０をクリーニング機構２０上に移動させるタイミングについては、適宜ユーザが設定すればよく、例えば、描画を開始して予め定められた時間が経過した後でもよく、描画を開始してヘッド１０が予め定められた回数だけメディア１００上を走査した後でもよい。
【００４５】
パージ制御部５２は、パージを行なうための場所（クリーニング機構２０上）にヘッド１０が移動して、パージを行なうときになるとヘッド１０にパージを行なわせる。つまり、パージを行なうとき、パージ制御部５２は、供給圧制御部５５にパージを開始することを示す信号を送信して、供給圧制御部５５にヘッド１０に対するインクの供給圧を上昇させる。「パージを行なうとき」とは、パージを行なうタイミングになったことをパージ制御部５２が認識したときである。例えば、ヘッド位置制御部５１がヘッド１０をクリーニング機構２０上に移動させた後にパージ可能となったことをパージ制御部５２に通知するなど、別の制御部（図示しているものもしていないものも含む）から指示を受けたときであってもよく、クリーニング機構２０にヘッド１０がその上に来たことを認識するセンサ等を設けて、当該センサ等からヘッド１０がクリーニング機構２０上に来たことを示す信号をパージ制御部５２が受け取ることによってパージを行なうときを認識してもよい。また、後述のように、ワイパー２１をワイピングの開始位置に移動させる場合には、ヘッド位置制御部５１がヘッド１０をクリーニング機構２０上に移動させたことを示す信号をワイパー制御部５４に送信して、ワイパー制御部５４がワイパー２１をワイピングの開始位置に移動させた後に、その移動が終了したこと示す信号をパージ制御部５２に送信して、パージ制御部５２がパージを行なうときを認識してもよい。パージ制御部５２がパージを行なうときを判断する方法はここに記載した例の他にも適宜設定可能である。
【００４６】
フラッシング制御部５３は、後述するワイパー２１によるワイピングが終了した後に、振動素子１２を振動させてフラッシングを行なわせる。つまり、フラッシング制御部５３は、フラッシングを行なうとき、振動素子１２によってヘッド１０を振動させてフラッシングに必要な量のインクをノズル１１から吐出させる。「フラッシングを行なうとき」とは、フラッシングを行なうタイミングになったことをフラッシング制御部５３が認識したときである。例えば、ヘッド位置制御部５１がヘッド１０をフラッシング用ステーション３０上に移動させた後にフラッシングをするようにフラッシング制御部５３に指示を送るなど、別の制御部（図示しているものもしていないものも含む）から指示を受けたときであってもよく、フラッシング用ステーション３０にヘッド１０がその上に来たことを認識するセンサ等を設けて、当該センサ等からヘッド１０がフラッシング用ステーション３０上に来たことを示す信号をフラッシング制御部５３が受け取ることによってフラッシングを行なうときを認識してもよい。フラッシング制御部５３がフラッシングを行なうときを判断する方法はここに記載した例の他にも適宜設定可能である。
【００４７】
ワイパー制御部５４は、パージが終了した後に、ワイパー２１にフェイスのワイピングを行なわせるものである。ワイパー制御部５４は、例えば、パージ制御部５２からパージが終了したことを示す信号を受け取ることにより、パージの終了を認識する。次に、ワイパー２１を駆動させてフェイスのワイピングを開始する。このとき、ワイパー制御部５４は予めワイパー２１を、ワイピングを開始する位置まで移動させておく。ワイピングが終了すると、ワイピングの終了を示す信号をヘッド位置制御部５１に送る。これによりヘッド位置制御部５１はヘッド１０をフラッシング用ステーション３０上に移動させる。
【００４８】
供給圧制御部５５は、パージ制御部５２から受信するパージを行なうときを示す信号及びパージを終了することを示す信号に基づいて、ヘッド１０に対するインクの供給圧を上げたり、下げたりするものである。具体的には、パージ制御部５２からパージを開始することを示す信号を受信すると、ヘッド１０に対するインクの供給圧を上げるように制御する。また、パージ制御部５２からパージを終了することを示す信号を受信すると、ヘッド１０に対するインクの供給圧を下げるように制御する。
【００４９】
また、供給圧制御部５５は、ワイパー制御部５４によってワイピングを行なわせるときに、ヘッド１０に対するインクの供給圧を大気圧より下げるものである。具体的には、ワイパー制御部５４からワイピングを開始することを示す信号を受信すると、ヘッド１０に対するインクの供給圧を大気圧より下げるように制御する。
【００５０】
ワイピングを行なうときにヘッド１０に対するインクの供給圧を大気圧より下げておくことにより、ノズルに液体を引きこむ力を与えつつワイピングすることができる。ノズルに液体を引きこむ力を与えないでワイピングすると、ヘッド１０が複数の種類の色のインクを格納したものである場合に、或るノズルから漏れ出したインクが別のノズルの中に押し込まれることによってノズル内のインクが混色する虞がある。しかし、ヘッド１０に対するインクの供給圧を大気圧より下げてワイピングすることにより、ノズルにインクを引きこむ力を与えノズルからの混色を防ぐことができる。
【００５１】
また、フラッシングはヘッド１０に対するインク供給圧を大気圧より下げておく必要がある。しかし、ワイピング中にヘッド１０に対するインクの供給圧を大気圧より下げておくことにより、速やかにフラッシングを行なうことができ、ひいては、より短時間で印刷を再開できる。つまり、フラッシングの間は供給圧制御部５５によりヘッド１０に対するインクの供給圧を大気圧より下に維持される。
【００５２】
〔液滴吐出装置１の動作〕
次に液滴吐出装置１の動作の一例について図３を用いて説明する。図３は液滴吐出装置１の動作の一例を示すフロー図である。ここで説明する方法は、本発明に係る方法の一実施形態である。
【００５３】
まず、描画を開始させる（ステップＳ１）。ヘッド位置制御部５１はヘッド１０をメディア１００上で走査させる。別の制御部、又はヘッド位置制御部５１自身が、描画する図形の情報に基づいて振動素子１２を振動させて、インクを吐出させて描画を行なう。
【００５４】
次に、ヘッド位置制御部５１は、ヘッド１０による走査回数が予め定められた回数に達したか否かを判断する（ステップＳ２）。予め定められた回数に達した場合（ステップＳ２においてＹＥＳ）、ヘッド位置制御部５１はヘッド１０をクリーニング機構２０上に移動させる（ステップＳ３、ヘッド移動工程）。ステップＳ２においてＮＯの場合、ヘッド位置制御部５１は、ヘッド１０による走査回数が予め定められた回数に達したか否かを判断を再度行なう。
【００５５】
ヘッド１０がクリーニング機構２０上に移動した後、移動が終了したことを示す信号をヘッド位置制御部５１がワイパー制御部５４に送信する。次にワイパー制御部５４はワイパー２１をワイピングの開始位置に移動させる（ステップＳ４）。当該開始位置はノズル１１より外側に位置している。そのため、次のパージの際に、ワイパー２１がインクで汚れることを防ぐことができる。
【００５６】
次に、パージ制御部５２はヘッド１０に対するインクの供給圧を上昇させてノズル１１からインクを吐出させることによりパージを行なう（ステップＳ５、第一の清掃工程）。このとき、パージ制御部５２からパージを開始する信号を受信した供給圧制御部５５がヘッド１０に対するインクの供給圧を上昇させる。次に、供給圧制御部５５から当該供給圧が上昇したことを示す信号を受信して、パージ制御部５２はパージ終了を判定する。パージが終了した後は、パージ制御部５２はワイパー制御部５４にパージが終了したことを示す信号を送信する。また、パージ制御部５２は供給圧制御部５５にパージを終了することを示す信号を送信して、供給圧制御部５５はインクの供給圧を下げ始める。
【００５７】
パージが終了した後、ワイパー制御部５４はワイパー２１を駆動させてワイピングを行なう（ステップＳ６、拭き取り部清掃工程）。このとき、ワイパー制御部５４はワイピングを開始する信号を供給圧制御部５５に送信して、供給圧制御部５５はヘッド１０に対するインクの供給圧を大気圧より下げる。ワイピングが終了した後は、ワイパー制御部５４はヘッド位置制御部５１にワイピングが終了したことを示す信号を送信する。
【００５８】
次に、ヘッド位置制御部５１はヘッド１０をフラッシング用ステーション３０上に移動させる（ステップＳ７）。移動が終了した後は、ヘッド位置制御部５１はフラッシング制御部５３に当該移動が終了したことを示す信号を送信する。
【００５９】
次に、フラッシング制御部５３は振動素子１２によりヘッドのノズル１１に連通するインク貯留室に振動を与えてフラッシングを行なう（ステップＳ８、第二の清掃工程）。フラッシングが終了した後は、フラッシング制御部５３はヘッド位置制御部５１にフラッシングが終了したことを示す信号を送信する。なお、フラッシングを行なう間、供給圧制御部５５によって、ヘッド１０に対するインクの供給圧は大気圧より低く維持される。
【００６０】
次にヘッド位置制御部５１はヘッド１０をメディア上に移動させて、描画を再開する（ステップＳ９、描画再開工程）。
【００６１】
以上により、描画の途中にヘッド１０のフェイス及びノズル１１の清掃を行なうことができる。
【００６２】
ここで、図４を用いて、パージを始めてからフラッシングを終了するまでの供給圧制御部５５による供給圧の制御について説明する。図４は本発明の一実施形態である液滴吐出装置１におけるヘッドのノズル付近のインク圧力の経時変化を示す図である。
【００６３】
まず、通常の印刷時においてはヘッド１０に対するインクの供給圧は大気圧より低い状態で維持されている。
【００６４】
次に、パージ制御部５２によりパージを開始することとなると、供給圧制御部５５はヘッド１０に対するインクの供給圧を上げ始める（加圧）。供給圧が大気圧より高くなり、さらにインクを押し出そうとする力が、インクのノズル壁面に対する摩擦等の抵抗等を上回っている間、ノズルからインクが出ることでパージが行なわれる。
【００６５】
次に、パージを終了させるために、供給圧制御部５５はヘッド１０に対するインクの供給圧を下げ始める。ただし、十分に供給圧が下がるまではノズルからインクは出ており、物理的にはインクがパージされている状態がしばらく続き、十分に供給圧が下がるとノズルからインクが出なくなり、パージが完全に終了する。例えば、供給圧が−１．０ｋＰａを下回ると供給圧制御部５５はワイパー制御部５４に供給圧が−１．０ｋＰａを下回ったことを示す信号を送り、ワイパー制御部５４はワイピングを開始する。ワイピングの間、供給圧制御部５５はヘッド１０に対するインクの供給圧を、例えば、−２．４ｋＰａ程度という大気圧より低い圧力まで徐々に下げた上で維持する。
【００６６】
なおワイピングの直前にはノズル周辺のインクがノズル内に引き込まれることになるが、引き込む分量を予め予測して、パージ時間を確保しておけばよい。
【００６７】
ワイピングが終了すると、ワイパー制御部５４はヘッド位置制御部５１にワイピングが終了したことを示す信号を送信する。ヘッド位置制御部５１はヘッド１０をフラッシング用ステーション３０上に移動させる。移動が終了した後は、ヘッド位置制御部５１はフラッシング制御部５３に当該移動が終了したことを示す信号を送信する。フラッシング制御部５３は振動素子１２によりヘッドのノズル１１に連通するインク貯留室に振動を与えてフラッシングを行なう。この間、供給圧制御部５５はヘッド１０に対するインクの供給圧を−２．４ｋＰａ程度で維持している。フラッシングが終了すると印刷が再開される。
【００６８】
〔変形例〕
（フラッシングの省略）
本発明に係る方法ではフラッシングは必須ではない。例えば、ワイピングによってノズル内のインクが混色する虞がない場合等には、フラッシングを省略してワイピングの後に描画を再開してもよい。
【００６９】
（フラッシングの場所）
フラッシングをフラッシング用ステーション３０上で行なう形態について説明したが、フラッシングもパージ及びワイピングと同じ場所で行なってもよい。この場合、フラッシング用ステーションに移動するための時間のロスを低減できる。
【００７０】
（ヘッドの数）
ヘッドが一個の場合について説明したが、ヘッドを複数備えていてもよい。以上の説明では、キャリッジの説明を省いたが、ヘッドはキャリッジに格納され、キャリッジがガイド機構に接続されていてもよい。つまり、キャリッジが移動することによりヘッドも移動する。そして、キャリッジの中にはヘッドが複数格納されていてもよい。
【００７１】
このとき、パージ、ワイピング、フラッシングを行なうタイミングはヘッドのそれぞれに設定されていてもよい。つまり、ヘッド位置制御部によるヘッドを、パージを行なうための場所に移動させるときが、複数のヘッドのそれぞれに定められていてもよい。
【００７２】
キャリッジに格納されているヘッドのいずれかが、パージを行なうための場所に移動させるタイミングとなったときに、キャリッジごとクリーニング機構の方向に移動して、対応するヘッドをクリーニング機構上に配置して、パージを行ない、引き続き、ワイピング、必要であればフラッシングを行なう。このように、清掃が必要なヘッドのみに適宜清掃を行なうことによって時間のロスを低減できる。また、パージ、ワイピング、フラッシングの場所をヘッド一個分だけ用意すればよいため、ヘッドのメンテナンス機構の構成を簡略化及び省スペース化できる。
【００７３】
〔付記事項〕
以上のように、本発明に係る媒体処理装置の一実施形態である液滴吐出装置１は、インクを格納するヘッド１０を備え、ヘッド１０は、インクを吐出するノズル１１及び当該ノズルからインクを吐出するために当該ヘッドのノズル１１に連通するインク貯留室を振動させる振動素子１２を備え、ヘッド１０のノズル１１が設けられた面（フェイス）を清掃するワイパー２１と、ヘッド１０の位置を制御するヘッド位置制御部５１と、ヘッド１０に対するインクの供給圧を上げることでノズル１１からインクを吐出させることによるノズル１１の清掃であるパージを制御するパージ制御部５２と、ワイパー２１によるフェイスのワイピングを制御するワイパー制御部５４と、ヘッド１０に対するインクの供給圧を制御する供給圧制御部５５と、を備え、ヘッド位置制御部５１は、ヘッド１０がメディア１００にインクを吐出して描画を行なっている途中において、予め定められたときにパージを行なうための場所であるクリーニング機構２０上にヘッド１０を移動させ、パージ制御部５２は、クリーニング機構２０上にヘッド１０が移動したらヘッド１０にパージを行なわせ、ワイパー制御部５４は、パージが終了した後に、ワイパー２１にフェイスの清掃を行なわせ、ヘッド位置制御部５１は、ワイパー２１によるフェイスのワイピングが終了した後に、メディア１００上にヘッド１０を移動させて、描画を再開させ、供給圧制御部５５は、パージ制御部５２によってパージを行なうときに、ヘッド１０に対するインクの供給圧を上げるものである。
【００７４】
また、本発明に係る方法の一実施形態は、インクを格納するヘッド１０を備え、ヘッド１０は、インクを吐出するノズル１１及びノズル１１からインクを吐出するためにヘッドのノズル１１に連通するインク貯留室に振動を与える振動素子１２を備え、ヘッド１０のノズル１１が設けられた面（フェイス）を清掃するワイパー２１と、を備える液滴吐出装置１のヘッド１０及びノズル１１の清掃方法であって、ヘッド１０がメディア１００にインクを吐出して描画を行なっている途中において、予め定められたときに、ヘッド１０に対するインクの供給圧を上げることでノズル１１からインクを吐出させることによるノズル１１の清掃であるパージを行なうための場所であるクリーニング機構２０上にヘッド１０を移動させる工程と、クリーニング機構２０上にヘッド１０が移動したらヘッド１０にパージを行なわせる工程と、パージが終了した後に、ワイパー２１にフェイスのワイピングを行なわせる工程と、ワイピングが終了した後に、メディア１００上にヘッド１０を移動させて、描画を再開させる工程を含む。
【００７５】
上記の構成によれば、作図中においてパージ後にワイピングを行なうことで、ヘッド１０に付着して粘度の上昇したインクをノズル１１に押し込むことなく、付着したインクの粘度が上昇する前にワイピングを行なうことができる。また、作図の途中でノズル１１をパージにより清掃した上で、ヘッド１０に付着したインクをワイパー２１で清掃できる。よって、作図中に円滑にノズル１１の清掃及びヘッド１０に付着したインクの除去を行なうことができる。
【００７６】
液滴吐出装置１では、パージ制御部５２によるパージの終了後、ワイパー制御部５４によるワイピングが始まるまでに、ヘッド位置制御部５１はヘッド１０を移動させないことがより好ましい。
【００７７】
上記の構成によれば、パージとワイピングとを同じ場所で行なうことで、パージ後に速やかにワイピングを行なうことができる。これにより、例えば、インクを乾燥させるための強力なヒータを用いて周辺環境が高温になり、インクの粘度が上昇しやすく、インクの固着が生じやすい場合であっても、粘度の上昇及び固着の前にワイパー２１によるワイピングを行なうことができる。よって、ワイピングの効率を高めることができる。また、パージを行なうための場所からワイピングを行なうための場所に移動する際にインクが落下して周辺を汚染することを防ぐことができる。
【００７８】
液滴吐出装置１では、供給圧制御部５５は、ワイパー制御部５４によってワイピングを行なわせるときに、ヘッド１０に対するインクの供給圧を大気圧より下げる。
【００７９】
ワイピングを行なうときにヘッド１０に対するインクの供給圧を大気圧より下げておくことにより、ノズルに液体を引きこむ力を与えつつワイピングすることができる。ノズルに液体を引きこむ力を与えないでワイピングすると、ヘッド１０が複数の種類の色のインクを格納したものである場合に、或るノズルから漏れ出したインクが別のノズルの中に押し込まれることによってノズル内のインクが混色する虞がある。しかし、ヘッド１０に対するインクの供給圧を大気圧より下げることにより、ノズルにインクを引きこむ力を与えノズルからの漏れ出しを抑制した状態でワイピングすることができるため、混色を防ぐことができる。
【００８０】
また、後述のようにフラッシングを行なう場合、フラッシングはヘッド１０に対するインク供給圧を大気圧より下げておく必要がある。しかし、ヘッド１０に対するインクの供給圧を大気圧より下げておくことにより、速やかにフラッシングを行なうことができ、ひいては、より短時間で印刷を再開できる。
【００８１】
液滴吐出装置１では、振動素子１２によってヘッドのノズル１１に連通するインク貯留室に振動を与えることでノズル１１からインクを吐出させることによるノズル１１の清掃であるフラッシングを制御するフラッシング制御部５３をさらに備え、フラッシング制御部５３は、ワイパー２１によるワイピング後に、振動素子１２にフラッシングを行なわせ、ヘッド位置制御部５１は、フラッシングが終了した後に、メディア１００上にヘッド１０を移動させて、描画を再開させることがより好ましい。
【００８２】
また、本発明に係る方法の一実施形態では、ワイピングの後に、振動素子によってヘッドのノズル１１に連通するインク貯留室に振動を与えることでノズル１１からインクを吐出させることによるノズル１１の清掃であるフラッシングを行なう工程をさらに含み、描画を再開させる工程では、フラッシングが終了した後に、メディア１００上にヘッド１０を移動させて、描画を再開させる工程であることがより好ましい。
【００８３】
ヘッド１０内で複数の色のインクを吐出する場合、ワイピングによって異なる色の液滴がノズルに押し込まれて混色する虞がある。フラッシングを行なうことにより、この混色を防ぐことができる。
【００８４】
液滴吐出装置１では、ワイパー制御部５４によるワイピングの終了後、フラッシング制御部５３によるフラッシングが始まるまでに、ヘッド位置制御部５１はヘッド１０を移動させないことがより好ましい。
【００８５】
ワイピングの後に、フラッシングを行なう場所に移動するための時間のロスを低減することができる。
【００８６】
液滴吐出装置１及び本発明に係る方法の一実施形態では、ヘッド１０を複数備え、ヘッド位置制御部５１によるヘッド１０をパージを行なうための場所に移動させるときが、複数のヘッド１０のそれぞれに定められていることがより好ましい。
【００８７】
ヘッド１０のいずれかが、パージを行なうための場所に移動させるときとなったときに、対応するヘッド１０をパージを行なう場所に配置して、パージを行ない、引き続き、ワイピング、必要であればフラッシングを行なう。このように、清掃が必要なヘッド１０のみに適宜パージ等の清掃を行なうことによって時間のロスを低減できる。また、パージ、ワイピング、フラッシングの場所をヘッド１０一個分だけ用意すればよいため、ヘッド１０のメンテナンス機構の構成を簡略化及び省スペース化できる。
【００８８】
液滴吐出装置１及び本発明に係る方法の一実施形態では、ヘッド位置制御部５１は、ヘッド１０がメディア１００上を予め定められた回数走査した後に、ヘッド１０をパージを行なうための場所に移動させることがより好ましい。
【００８９】
ヘッド１０が所定回数走査した後に、パージ、ワイピング、フラッシングを行なうように制御することで、より安定して印刷の品質を維持することができる。
【００９０】
最後に、制御部５０の各ブロックは、ハードウェアロジックによって構成してもよいし、次のようにＣＰＵを用いてソフトウェアによって実現してもよい。
【００９１】
すなわち、制御部５０は、各機能を実現する制御プログラムの命令を実行するＣＰＵ（central processing unit）、上記プログラムを格納したＲＯＭ（read only memory）、
上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである制御部５０の制御プログラムのプログラムコード（実行形式プログラム、中間コードプログラム、ソースプログラム）をコンピュータで読み取り可能に記録した記録媒体を、制御部５０に供給し、そのコンピュータ（またはＣＰＵやＭＰＵ）が記録媒体に記録されているプログラムコードを読み出し実行することによっても、達成可能である。
【００９２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９３】
また、制御部５０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動
体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９４】
本発明は上述した実施形態に限定されるものではなく、請求項に示した範囲で種々の変更が可能であり、実施形態に開示された技術的手段を適宜組み合わせて得られる実施形態についても本発明の技術的範囲に含まれる。
【産業上の利用可能性】
【００９５】
本発明は、インクジェットプリンタ等に利用することができる。
【符号の説明】
【００９６】
１    液滴吐出装置
１０    ヘッド
１１    ノズル
１２    振動素子
２１    ワイパー（拭き取り部）
５１    ヘッド位置制御部（ヘッド位置制御手段）
５２    パージ制御部（第一の清掃制御手段）
５３    フラッシング制御部（第二の清掃制御手段）
５４    ワイパー制御部（拭き取り部制御手段）
５５    供給圧制御部（供給圧制御手段）
１００    メディア（被記録媒体）
【図１】
0005952024.tif 000002
【図２】
0005952024.tif 000003
【図３】
0005952024.tif 000004
【図４】
0005952024.tif 000005